(57)【要約】【課題】木製の構造部分の過剰な変形を阻止しつつ、応力の分散も図ることにより、今までにない耐震性を有する木造建築物を提供することを目的とする。【解決手段】    本発明の木造建築物は、地下に鉄筋コンクリート製の地中梁により相互に一体連結された鉄筋コンクリート製の柱基盤が設けられており、当該柱基盤に、前記木製柱よりも高い耐力を有する耐力柱の下端が一体連結されてなるとともに、当該耐力柱の上下中間部又は／及び上端部は、前記木製梁にて連結されていることを特徴とし、前記耐力柱に一端が連結された木製梁の他端が前記木製柱に連結されていることを特徴とし、前記耐力柱が鉄管製であることを特徴とし、複数の耐力柱の間隔が十分短い場合は、両端を耐力柱に直接一体連結してあることを特徴とする。【選択図】図６
2019210594.tif 000002
【特許請求の範囲】
【請求項１】
主要構造が木製柱と木製梁とにより構造されている木造建築物であって、その地下に鉄筋コンクリート製の地中梁により相互に一体連結された鉄筋コンクリート製の柱基盤が設けられており、当該柱基盤に、前記木製柱よりも高い耐力を有する耐力柱の下端が一体連結されてなるとともに、当該耐力柱の上下中間部又は／及び上端部は、前記木製梁にて連結されていることを特徴とする木造建築物。
【請求項２】
請求項１に記載の木造建築物において、前記耐力柱に一端が連結された木製梁の他端が前記木製柱に連結されていることを特徴とする木造建築物。
【請求項３】
請求項１又は２のいずれかに記載の木造建築物において、前記耐力柱が鉄管製であることを特徴とする木造建築物。
【請求項４】
請求項１から３のいずれかに記載の木造建築物において、複数の耐力柱の間隔が十分短い場合は、両端を耐力柱に直接一体連結してあることを特徴とする木造建築物。
【発明の詳細な説明】
【技術分野】
【０００１】  本発明は、主要構造が木製柱と木製梁とにより構造されている木造建築物の耐震強度を向上する技術に関する。
【背景技術】
【０００２】  当該耐震技術としては、筋交いや耐力壁などが広く知られ、実行されている。
しかし、これら技術は、施工に手間が要し、建築価格や改修価格に大きな費用がかかるという問題があった。
また、［特許文献１］、［特許文献２］に示されるように、建築物の中央に４本の耐力柱とその上下を互いに耐力梁にて連結した箱型の高耐力スペースを構築し、この周囲に木製の梁、柱にて構築した木造建築物が提案されている。
しかしこのような構成では、高耐力スペースの剛性と木製構造の柔軟性との間のギャップが大き過ぎ、地震時の揺れによる応力が木製部分に集中し、かえって木造建築物の破損を早期に招くおそれがある。
【先行技術文献】
【特許文献】
【０００３】
【特許文献１】特開２００４−８４２６２号公報
【特許文献２】特開２００４−６０３１０号公報
【発明の概要】
【発明が解決しようとする課題】
【０００４】  本発明はこのような実情に鑑み、木製の構造部分の過剰な変形を阻止しつつ、応力の分散も図ることにより、今までにない耐震性を有する木造建築物を提供することを目的とする。
【課題を解決するための手段】
【０００５】  本発明１の木造建築物は、地下に鉄筋コンクリート製の地中梁により相互に一体連結された鉄筋コンクリート製の柱基盤が設けられており、当該柱基盤に、前記木製柱よりも高い耐力を有する耐力柱の下端が一体連結されてなるとともに、当該耐力柱の上下中間部又は／及び上端部は、前記木製梁にて連結されていることを特徴とする。
本発明２の木造建築物は、本発明１において、前記耐力柱に一端が連結された木製梁の他端が前記木製柱に連結されていることを特徴とする。
本発明３の木造建築物は、本発明１又は２のいずれかにおいて、前記耐力柱が鉄管製であることを特徴とする。
本発明４の木造建築物は、本発明１から３のいずれかにおいて、複数の耐力柱の間隔が十分短い場合は、両端を耐力柱に直接一体連結してあることを特徴とする。
【発明の効果】
【０００６】  本発明１の木造建築物では、耐力柱は、その下端の地下部分においては耐力柱以上の耐力剛性をもつこととなるが、上方に行くほど耐力柱本来の柔軟性を持つようになる。
その結果、これに連結された木製梁やこの木製梁を介して連結された木製の柱は、これらが本来持つ柔軟性を発揮する余裕が生じるのみならず、このような柔軟性を超えて当該木製梁、柱が破損するほどの大きな外力が与えられた場合は、耐力柱の剛性により、その変形を小さいものに抑えて、木製梁や木製柱の破損を防止することが可能である。
それ故に、耐力壁や筋交いを減少又は不要とすることができる。
本発明２では、木製柱の柔軟性を木製梁により維持しながら、耐力柱により過剰な変形を阻止することができた。
本発明３では、鋼管は、耐力柱として一般に市販されていることから、容易に得られるのみならず、鉄筋コンクリート製の柱に比べ柔軟性を有していることから、本発明の実施に当り耐力柱として最適な材料である。
本発明４では、耐力柱間の柔軟性を木製の梁にて担保することとなる。
【図面の簡単な説明】
【０００７】
【図１】本実施例の基礎構造を示す簡略平面図。なお。図１から図４において、耐力柱は黒塗りしてある。
【図２】前記図１の基礎構造上に一階床構造を構築した状態を示す簡略平面図。
【図３】前記図２の床構造上に木製柱、木製梁により２階以上を構築した簡略平面図。ただし、前記図２までの構造は省略した。
【図４】前記図３のＡ−Ａ線断面簡略正面図。なお、断面は斜線ではなく灰色で示してある。
【図５】２階まで構築した状態の要部を示す横断平面図。木製柱の横断断面は、年輪模様で示してある。
【図６】図５のＢ−Ｂ断面を示す縦断正面図。木製梁の縦断面は、年輪模様で示してある。鉄筋コンクリートの縦断面は砂礫印で示してある。
【図７】体力柱に固定してある木製梁連結用のブランケットを示す分解斜視図。
【発明を実施するための形態】
【０００８】  本発明を具体的に説明するために、以下に実施例を示すが、これに限定して本発明を解釈する意図はない。
【実施例】
【０００９】  図１に示すように長方形の建築面を想定して、以下に実施例を示す。
布基礎（１ａ）（１ｂ）は矩形の建築用敷地の基礎外周に設けた第一布基礎（１ａ）とその中央にある第二布基礎（１ｂ）からなる。
地中梁（２ａから２ｊ）、耐力柱の基盤（３ａから３ｄ）及び耐力柱（４ａから４ｄ）の配置などは、第一布基礎（１ａ）の幅を４等分した長さ（Ｗ）と奥行きを４等分した長さ（Ｌ）を以て説明すると以下の通りである。
第一布基礎（１ａ）の右端奥の角を原点として、第一柱基盤（３ａ）は１Ｗ１Ｌ、第二柱基盤（３ｂ）は３Ｗ１Ｌ、第三柱基盤（３ｃ）は１Ｗ３Ｌ、第四柱基盤は手前にｉＷ３Ｌの位置にその中心が配置されている。
そして、第一地中梁（２ａ）は１Ｗ０Ｌから前記第一柱基盤（３ａ）まで、第二地中梁（２ｂ）は３Ｗ０Ｌの位置から第二柱基礎（３ｂ）まで、第三地中梁（２ｃ）は０Ｗ１Ｌから第一柱基盤（３ａ）まで、第四地中梁（２ｄ）は第一柱基盤（３ａ）から第二柱基盤（３ｂ）まで、第四地中梁（２ｅ）は第二柱基盤（３ｂ）から４Ｗ１Ｌまで、第六地中梁（２ｆ）は第一柱基盤（３ａ）から第三柱基盤（３ｃ）まで、第七地中梁（２ｇ）は第二柱基盤（３ｂ）から第三柱基盤（３ｄ）まで、第八地中梁（２ｈ）は０Ｗ３Ｌから第三柱基盤（３ｃ）まで、第九地中梁（２ｉ）は第三柱基盤（３ｃ）から第四柱基盤（３ｄ）まで、第十地中梁（２ｊ）は第四柱基盤（３ｄ）から４Ｗ３Ｌまで、第十一地中梁（２ｋ）は、第三柱基盤（３ｃ）から１Ｗ４Ｌまで、第十二地中梁（２ｌ）は、第四柱基盤（３ｄ）から３Ｗ４Ｌまで、それぞれ設置されている。そして、これら地中梁と布基礎及び柱基盤は、いずれも鉄筋コンクリート製で、相互に鉄筋を共有させて全体として頑丈な地下基盤を構成している。
そして前記柱基盤（３ａ）（３ｂ）（３ｃ）（３ｄ）には、角鋼管からなる耐力柱（４ａ）（４ｂ）（４ｃ）（４ｄ）の下端が強固に一体化されて設置されている。より詳しくは後ほど図５、図６を参照して説明する。【００１０】  上記のように構成された地下基盤上に、木製の土台梁（６ａ）から（６ｓ）を以下のように設置する。（図２参照）
土台梁（６ａ）（６ｃ）（６ｅ）（６ｆ）（６ｑ）は、布基礎（１ａ）（１ｂ）の上面に直接設置されてる。
しかし、前記各地中梁の上方に設置される土台梁（６ｂ）（６ｄ）（６ｇ）（６ｈ）（６ｉ）（６ｊ）（６ｋ）（６ｌ）（６ｍ）（６ｎ）（６ｏ）（６ｐ）（６ｒ）（６ｓ）は、地中梁の上面レベルが布基礎の上面レベルより低いため、全土台梁同士のレベルを合わせる為の根太を介在させて設置してある。【００１１】  これら土台梁の上に木製の柱（５ａ）から（５ｐ）が設置されている。（図３）
さらに、これら木製柱と耐力柱とは、図３及び図４に示すように、木製の梁（７ａ）から（７ｚｅ）により連結して二階床梁を構成してある。
また、木製の梁（８ａ）から（８ｚｅ）により柱の上部を連結して屋根裏を構成してある。【００１２】  前記柱基盤（３ａ）（３ｂ）（３ｃ）（３ｄ）と耐力柱（４ａ）（４ｂ）（４ｃ）（４ｄ）とは、以下のようにして一体連結してある。（図５、図６参照）
これら柱基盤は、前記地中梁と同時に施工される部分と、その後に、布基礎のレベルまでコンクリートを追加する部分とにより構成されている。
地中梁と同時に施工された部分の上面には、アンカーボルト（１０ａ）が埋め込まれていて、このアンカーボルトを使って角形フランジ状の柱脚固定金物（１０）がナット固定されている。
されに、この固定金物（１０）に耐力柱（４ａ）の下端を挿入して、耐力柱を立付ける。
その後、型板コンクリート流し込みにより、布基礎と同レベルになるまでコンクリートを追加し、耐力柱と柱基盤の接合部分を埋め込む埋め込みコンクリート（３ａ‘）（３ｂ‘）（３ｃ‘）（３ｄ‘）で固め一体化してある。【００１３】  前記耐力柱（４ａ）から（４ｄ）の木製梁接合部分には、図７に示すようなブランケット（１１）か固定されている。
当該ブランケット（１１）は、耐力柱に溶接、ボルトナット、リベット或は強力接着剤などにより所定の箇所に一体化されて得いる。
ブランケット（１１）は木製梁を挿入する側面と上面が開放された鉄製箱であって、左右の側面には、挿入した木製梁の端部をねじ釘或は釘（１１ａ）などで固定する釘孔が設けてある。
このようにして鋼管からなる耐力柱（４ａ）（４ｂ）（４ｃ）（４ｄ）と木製の梁（７ｊ）（７ｆ）（７ｋ）（７ｏ）（７ｌ）（７ｈ）（７ｍ）（７ｑ）（７ｓ）（７ｏ）（７ｔ）（７ｘ）（７ｕ）（７ｑ）（７ｖ）（７ｚ）及び木製の梁（８ｊ）（８ｆ）（８ｋ）（８ｏ）（８ｌ）（８ｈ）（８ｍ）（８ｑ）（８ｓ）（８ｏ）（８ｔ）（８ｘ）（８ｕ）（８ｑ）（８ｖ）（８ｚ）を一体連結してある。
なお木製の柱（５ａ）（５ｂ）（５ｃ）（５ｄ）（５ｅ）（５ｆ）（５ｇ）（５ｈ）（５ｉ）（５ｊ）（５ｋ）（５ｌ）（５ｍ）（５ｎ）（５ｏ）（５ｐ）と木製の梁（７ａ）（７ｂ）（７ｃ）（７ｄ）（７ｅ）（７ｆ）（７ｇ）（７ｈ）（７ｉ）（７ｊ）（７ｋ）（７ｌ）（７ｍ）（７ｎ）（７ｏ）（７ｐ）（７ｑ）（７ｒ）（７ｓ）（７ｔ）（７ｕ）（７ｖ）（７ｗ）（７ｘ）（７ｙ）（７ｚ）（７ｚａ）（７ｚｂ）（７ｚｃ）（７ｚｄ）（７ｚｅ）及び木製の梁（８ａ）（８ｂ）（８ｃ）（８ｄ）（８ｅ）（８ｆ）（８ｇ）（８ｈ）（８ｉ）（８ｊ）（８ｋ）（８ｌ）（８ｍ）（８ｎ）（８ｏ）（８ｐ）（８ｑ）（８ｒ）（８ｓ）（８ｔ）（８ｕ）（８ｖ）（８ｗ）（８ｘ）（８ｙ）（８ｚ）（８ｚａ）（８ｚｂ）（８ｚｃ）（８ｚｄ）（８ｚｅ）との連結は、従来の木造建築物と同様にホゾ組などにより連結されている。【００１４】  以上のように、構成した木造建築物では、木製柱の破損限界近くに至る曲げモーメントに対しては耐力柱の剛性によりこれらの歪みを阻止して、木製柱が容易に破損しないようにして耐震性を向上するのみならず、破損限界以下の小さな曲げモーメントを受けた場合は、木製の柱及び梁の柔軟性を発揮させ、局部的な応力集中を避けるようになる。
その結果、地震大国で培われてきた我が国の木造建築物の特性を活かしながら、より強い耐震性を得ることができた。
その為、筋交いや耐力壁を必要としなくなった。【００１５】  なお耐力柱は、角形鋼管に限らず、円筒鋼管やＨ型鋼を用いることができる。
【符号の説明】
【００１６】
2019210594.tif 000003
【図１】
2019210594.tif 000004
【図２】
2019210594.tif 000005
【図３】
2019210594.tif 000006
【図４】
2019210594.tif 000007
【図５】
2019210594.tif 000008
【図６】
2019210594.tif 000009
【図７】
2019210594.tif 000010